(57)【要約】【課題】本発明は、刃物が小さいものでも刃物を固定でき、摩耗した刃物を研磨することができる刃物研磨装置を提供することを目的としている。【解決手段】刃物研磨装置１は、刃物取付台２に支持された刃物３と、この刃物３に対向するように設けられた砥石４とを備え、刃物取付台２、砥石４の内、何れか一方を水平方向に移動させると共に、刃物３を砥石４に当接させて刃物３を研磨する刃物研磨装置１であって、刃物取付台２の表面には被係合部３２ａが設けられ、刃物３の裏面には被係合部３２ａに係合する係合部３１が設けられ、係合部３１を被係合部３２ａに係合した刃物３の表面に刃物押え部材６を当接させると共に、刃物押え部材６を刃物取付台２に固定部材７により固定させるものである。【選択図】図３
2004042222.tif 000002
【特許請求の範囲】
【請求項１】
刃物取付台に支持された刃物と、この刃物に対向するように設けられた砥石とを備え、前記刃物取付台、前記砥石の内、何れか一方を水平方向に移動させると共に、前記刃物を前記砥石に当接させて前記刃物を研磨する刃物研磨装置であって、
前記刃物取付台の表面には被係合部が設けられ、
前記刃物の裏面には前記被係合部に係合する係合部が設けられ、
前記係合部を前記被係合部に係合した前記刃物の表面に刃物押え部材を当接させると共に、前記刃物押え部材を前記刃物取付台に固定部材により固定させる
ことを特徴とする刃物研磨装置。
【請求項２】
刃物は長手形状で、
刃物の係合部は、前記刃物の長手形状を横断する断面形状が台形形状の凹部であり、
被係合部は、前記凹部に係合する台形形状の凸部である
ことを特徴とする請求項１記載の刃物研磨装置。
【請求項３】
刃物は、木工機械用かんな胴に取り付けられるもので、
前記刃物は、前記木工機械用かんな胴の長手方向に平行に設けられた凹溝に、前記刃物の裏面の係合部に係合する被係合部を有する裏座と、この裏座と前記凹溝の隙間を埋める押え部材により固定されるものであり、
前記木工機械用かんな胴の前記裏座を利用して、前記裏座の被係合部が刃物取付台の表面に露出するように前記裏座を前記刃物取付台に取り付ける
ことを特徴とする請求項１記載の刃物研磨装置。
【発明の詳細な説明】
【０００１】
本発明は、刃物研磨装置に係り、特に、刃物が小さいものでも刃物を固定でき、摩耗した刃物を研磨することができる刃物研磨装置に関する。
【０００２】
【従来の技術と発明が解決しようとする課題】
刃物の切れ味が低下すると、加工機の能力が低下するため、刃物研磨装置を使用して刃物を研磨する。
従来の刃物研磨装置にあっては、刃物の巾寸法が大きく、刃物取付台に刃物を置き、刃物を刃物押え部材で押える、つまり、刃物を刃物取付台と刃物押え部材のそれぞれの平坦面で挟持することができた。
しかしながら、刃物の巾寸法が小さくなると、刃物を刃物取付台と刃物押え部材のそれぞれの平坦面で挟持しただけでは、刃物の固定が不十分で、従来の刃物研磨装置においては、巾寸法の小さい刃物の研磨ができないという問題点が生じた。
従って、本発明は、上述した問題点を除去するようにした刃物研磨装置を提供するものである。
【０００３】
【課題を解決するための手段】
上記目的を達成するために、請求項１記載の刃物研磨装置は、刃物取付台に支持された刃物と、この刃物に対向するように設けられた砥石とを備え、前記刃物取付台、前記砥石の内、何れか一方を水平方向に移動させると共に、前記刃物を前記砥石に当接させて前記刃物を研磨する刃物研磨装置であって、前記刃物取付台の表面には被係合部が設けられ、前記刃物の裏面には前記被係合部に係合する係合部が設けられ、前記係合部を前記被係合部に係合した前記刃物の表面に刃物押え部材を当接させると共に、前記刃物押え部材を前記刃物取付台に固定部材により固定させるものである。
【０００４】
また、請求項２記載の刃物研磨装置は、請求項１記載の刃物研磨装置において、刃物は長手形状で、刃物の係合部は、前記刃物の長手形状を横断する断面形状が台形形状の凹部であり、被係合部は、前記凹部に係合する台形形状の凸部である。
【０００５】
また、請求項３記載の刃物研磨装置は、請求項１記載の刃物研磨装置において、刃物は、木工機械用かんな胴に取り付けられるもので、前記刃物は、前記木工機械用かんな胴の長手方向に平行に設けられた凹溝に、前記刃物の裏面の係合部に係合する被係合部を有する裏座と、この裏座と前記凹溝の隙間を埋める押え部材により固定されるものであり、前記木工機械用かんな胴の前記裏座を利用して、前記裏座の被係合部が刃物取付台の表面に露出するように前記裏座を前記刃物取付台に取り付けるものである。
【０００６】
【実施例】
本発明の一実施例の刃物研磨装置を図面を参照して説明する。
図１乃至図６において、１は刃物研磨装置で、刃物研磨装置１は、例えば、刃物取付台２に支持された刃物３と、この刃物３に対向するように設けられた砥石４とを備え、刃物取付台２、砥石４の内、何れか一方を水平方向に移動させると共に、刃物３を砥石４に当接させて刃物３を研磨するものである。
なお、砥石４は自動又は手動により昇降自在（垂直方向）に支持され、砥石４（図１に示す砥石４の内、右側が荒砥石であり、左側が仕上砥石である。）は、モ−タ４１により回転するようになっている。また、本実施例にあっては、ハンドル４２により砥石４が昇降するようになっている。
【０００７】
刃物３は、図４及び図５に示すように、長手形状で、刃物３の係合部３１は、刃物３の裏面側に設けられ、刃物３の長手形状を横断する断面形状が台形形状の凹部となっている。
また、刃物３は、例えば、図４乃至図６に示すように、木工機械用かんな胴３０（プレ−ナ−）に取り付けられるもので、木工機械用かんな胴３０の長手方向に平行に設けられた凹溝３０ａに、刃物３の裏面の係合部３１に係合する被係合部３２ａを有する裏座３２と、この裏座３２と凹溝３０ａの隙間を埋める押え部材３３により固定されるものである。
【０００８】
また、刃物取付台２は、フレ−ム５上に水平方向に設けられたレ−ル５１に係合し、正逆に回転するモ−タ−５２と、このモ−タ−５２に設けられたスプロケット（図示せず）と、このスプロケット（図示せず）に係合するチェ−ン（図示せず）と、このチェ−ン（図示せず）に接続された刃物取付台２等により、フレ−ム５上を水平方向に往復移動できるようになっている。［モ−タ−５２を正逆に回転するようにしたが、一方向のみの回転で、刃物取付台２をフレ−ム５上を水平方向に移動させても良い。］
なお、本実施例においては、刃物取付台２が移動するものを示しているが、本発明の刃物研磨装置１にあっては、刃物取付台２、砥石４の内、何れか一方を水平方向に移動させて刃物３を研磨するものであれば良い。
【０００９】
また、刃物取付台２は、刃物３が置かれ、被係合部、例えば、凸部３２ａを有すると共に、回動自在に支持されている。
なお、特に、図６記載の木工機械用かんな胴３０の裏座３２を利用して、裏座３２の被係合部３２ａが刃物取付台２の表面に露出するように裏座３２を刃物取付台２に取り付けることが望ましい。勿論、図６記載の木工機械用かんな胴３０の裏座３２を利用せず、被係合部が刃物取付台２の表面に露出するように設けても良い。
また、刃物取付台２は、ハンドル２１により回転する軸２２に設けたウオ−ム２３と、このウオ−ム２３にかみ合うように設けたウオ−ムホイ−ル２４により、刃物取付台２に取り付けた刃物３の刃面３５が水平になるように回動することができるようになっている。
【００１０】
また、６は刃物押え部材で、刃物押え部材６は、図３に示すように、刃物３の係合部３１を刃物取付台２の被係合部３２ａに係合した刃物３の表面に当接させると共に、刃物押え部材６を刃物取付台２に固定部材７により固定させる。固定部材７は、例えば、ボルトの雄螺子を刃物取付台２に設けた雌螺子に螺合させて、刃物取付台２に固定させるようにしている。
【００１１】
従って、上述した刃物研磨装置１によれば、刃物３の係合部３１を刃物取付台２の被係合部３２ａに係合させ、刃物３の表面に刃物押え部材６を当接させると共に、固定部材７により刃物押え部材６を刃物取付台２に固定させて、刃物３を保持することができるため、刃物３が小さいものでも刃物３を固定でき、摩耗した刃物３を研磨することができる。
研磨は、例えば、ハンドル２１を使用して刃面３５が水平になるようにセットされた刃物３にハンドル４２を使用して砥石４を昇降させて砥石４が当接するように位置合わせされた状態で、刃物取付台２を水平方向に所定回数往復させることにより行う。砥石４は、荒砥石で研磨した後、仕上砥石で研磨する。
なお、特に、木工機械用かんな胴３０の裏座３２を利用して、裏座３２の被係合部３２ａが刃物取付台２の表面に露出するように裏座３２を刃物取付台２に取り付ければ、より簡易な手段により、刃物３を保持でき、刃物３が小さいものでも刃物３を固定でき、摩耗した刃物３を研磨することができる。
【００１２】
【発明の効果】
請求項１記載の刃物研磨装置によれば、刃物の係合部を刃物取付台の被係合部に係合させ、刃物の表面に刃物押え部材を当接させると共に、固定部材により刃物押え部材を刃物取付台に固定させて、刃物を保持することができるため、刃物が小さいものでも刃物を固定でき、摩耗した刃物を研磨することができる。
【００１３】
また、請求項２記載の刃物研磨装置によれば、前述の請求項１記載の発明の効果に加え、刃物の台形形状の凸部を刃物取付台の台形形状の凹部に係合させるという簡易な手段により、刃物を保持できるため、刃物が小さいものでも刃物を固定でき、摩耗した刃物を研磨することができる。
【００１４】
また、請求項３記載の刃物研磨装置によれば、前述の請求項２記載の発明の効果に加え、木工機械用かんな胴の裏座を利用して、裏座の被係合部が刃物取付台の表面に露出するように裏座を刃物取付台に取り付けるため、より簡易な手段により、刃物を保持でき、刃物が小さいものでも刃物を固定でき、摩耗した刃物を研磨することができる。
【図面の簡単な説明】
【図１】図１は、本発明の一実施例の刃物研磨装置の概略的正面図である。
【図２】図２は、図１の刃物研磨装置の概略的側面図である。
【図３】図３は、図２の刃物研磨装置の要部の概略的一部拡大側断面図である。
【図４】図４は、図１の刃物研磨装置の一研磨対象である刃物の使用例を示す概略的斜視図である。
【図５】図５は、図４の刃物の一部を示す概略的斜視図である。
【図６】図６は、図４の概略的一部断面図である。
【符号の説明】
１　　　刃物研磨装置
２　　　刃物取付台
３　　　刃物
４　　　砥石
６　　　刃物押え部材
７　　　固定部材
３１　　　係合部
３２ａ　　被係合部
【図１】
2004042222.tif 000003
【図２】
2004042222.tif 000004
【図３】
2004042222.tif 000005
【図４】
2004042222.tif 000006
【図５】
2004042222.tif 000007
【図６】
2004042222.tif 000008